(57)【要約】【課題】  プリンタカバーによる記録紙の紙詰まりを防ぐことである。【解決手段】  機器ケース１内に設けられて記録紙１５に情報を印刷するプリンタ部１４と、機器ケース１内の記録紙収納部１３およびプリンタ部１４を開閉自在に覆い、かつ印刷された記録紙１５を機器ケース１から排出する記録紙排出口１２ａを備えたプリンタカバー１２と、プリンタ部１４とプリンタカバー１２との間に配置され、プリンタ部１４で印刷された記録紙１５が進行する方向に位置し、プリンタ部１４で印刷された記録紙１５の先端部を位置規制して記録紙排出口１２ａに送り込む排出規制部材１６と、を備えている。従って、プリンタ部１４で印刷された記録紙１５を排出規制部材１６によって記録紙１５の厚み方向に挟むように位置規制できるので、記録紙１５のふらつきを防ぎ、記録紙１５を安定させた状態でプリンタカバー１２の記録紙排出口１２ａに送り込むことができる。これにより、プリンタカバー１２による記録紙１５の紙詰まりを防ぐことができる。【選択図】        図２
2019130919.tif 000002
【特許請求の範囲】
【請求項１】
記録紙を収納する記録紙収納部が設けられたケースと、
前記ケース内における前記記録紙収納部の近傍に設けられ、前記記録紙に情報を印刷するプリンタ部と、
前記ケースに設けられて前記記録紙収納部および前記プリンタ部を開閉自在に覆い、かつ前記プリンタ部で印刷された前記記録紙を前記ケースから排出する記録紙排出口が設けられたプリンタカバーと、
前記プリンタ部と前記プリンタカバーとの間に配置され、前記プリンタ部で印刷された前記記録紙が進行する方向に位置し、前記プリンタ部で印刷された前記記録紙の先端部を位置規制して前記記録紙排出口に送り込む排出規制部材と、
を備え、
前記排出規制部材は、前記ケースに固定された固定規制部と、前記ケースに対して前記記録紙の排出方向に移動可能に設けられた可動規制部と、を備え、
前記プリンタ部は、印字ヘッドとプラテンとを備え、前記印字ヘッドは前記固定規制部の下側に配置され、前記プラテンは前記可動規制部に設けられている、
ことを特徴とするプリンタ装置。
【請求項２】
請求項１に記載のプリンタ装置において、
前記排出規制部材は、前記記録紙が挿入する規制路を備え、この規制路における前記記録紙の厚み方向の隙間が、前記プリンタ部側で広く、前記プリンタカバー側に向かう方向に従って次第に前記記録紙を厚み方向に挟むように狭くなる形状に形成されている、ことを特徴とするプリンタ装置。
【請求項３】
請求項２に記載のプリンタ装置において、
前記固定規制部は、前記ケースに固定される固定部と、前記排出規制部材の前記規制路を形成するための第１ガイド傾斜部と、を備え、
前記可動規制部は、前記ケースに前記記録紙の排出方向に回転可能に取り付けられた回転支持部と、この回転支持部に設けられて前記固定規制部の前記第１ガイド傾斜部に接離可能に対応して前記排出規制部材の前記規制路を前記第１ガイド傾斜部と共に形成する第２ガイド傾斜部と、を備えている、
ことを特徴とするプリンタ装置。
【請求項４】
請求項３に記載のプリンタ装置において、
前記可動規制部の前記第２ガイド傾斜部に対向する前記固定規制部の前記第１ガイド傾斜部の対向面には、複数のガイドリブが設けられている、
ことを特徴とするプリンタ装置。
【請求項５】
請求項１〜請求項４のいずれかに記載のプリンタ装置において、
前記プリンタカバーが前記ケース上に配置されて前記記録紙収納部および前記プリンタ部を覆って閉じた際に、前記排出規制部材は、前記記録紙の排出側に位置する当該排出規制部材の先端部が前記プリンタカバーの前記記録紙排出口に挿入する、
ことを特徴とするプリンタ装置。
【請求項６】
請求項１〜請求項５のいずれかに記載されたプリンタ装置を備えていることを特徴とする電子機器。
【発明の詳細な説明】
【技術分野】
【０００１】
この発明は、電子レジスタなどの電子機器に用いられるプリンタ装置およびそれを備えた電子機器に関する。
【背景技術】
【０００２】
例えば、電子レジスタのプリンタ装置においては、特許文献１に記載されているように、記録紙を収納する記録紙収納部が設けられたプリンタケースと、このプリンタケース内に設けられて記録紙に情報を印刷するプリンタ部と、プリンタケースに設けられて記録紙収納部およびプリンタ部を開閉自在に覆うプリンタカバーと、を備えた構成のものが知られている。
【先行技術文献】
【特許文献】
【０００３】
【特許文献１】特開２０１３−１０１８５号公報
【０００４】
この場合、プリンタ部は、印字ヘッドとプラテンとこれらを覆うカバーケースとを備え、記録紙が印字ヘッドとプラテンとの間に送り込まれ、この送り込まれた記録紙に印字ヘッドが情報を印刷し、この印刷された記録紙がカバーケースの開口部から送り出されるように構成されている。また、プリンタカバーには、プリンタ部で印刷された記録紙を排出する記録紙排出口がカバーケースの開口部に対応して設けられている。
【０００５】
このようなプリンタ装置は、プリンタカバーがプリンタケース内の記録紙収納部およびプリンタ部を覆って閉じた際に、プリンタカバーの記録紙排出口がプリンタ部のカバーケースに設けられた開口部に対応し、この状態でプリンタ部によって記録紙に情報が印刷されると、この印刷された記録紙がカバーケースの開口部を通してプリンタカバーの記録紙排出口から外部に送り出されるように構成されている。
【発明の概要】
【発明が解決しようとする課題】
【０００６】
しかしながら、このようなプリンタ装置では、プリンタ部で印刷された記録紙がカバーケースの開口部からプリンタカバーの記録紙排出口に送り込まれる際に、プリンタカバー側に位置する記録紙の先端部がふらつき易く不安定になる。このため、例えばプリンタカバーが完全に閉じていない場合には、プリンタカバーの記録紙排出口がカバーケースの開口部に対して位置ずれを起こすため、印刷された記録紙がふらついてプリンタカバーの記録紙排出口から排出されず、プリンタカバーによって紙詰まりを起こすという問題がある。
【０００７】
この発明が解決しようとする課題は、プリンタカバーによる記録紙の紙詰まりを防ぐことである。
【課題を解決するための手段】
【０００８】
この発明に係るプリンタ装置は、記録紙を収納する記録紙収納部が設けられたケースと、前記ケース内における前記記録紙収納部の近傍に設けられ、前記記録紙に情報を印刷するプリンタ部と、前記ケースに設けられて前記記録紙収納部および前記プリンタ部を開閉自在に覆い、かつ前記プリンタ部で印刷された前記記録紙を前記ケースから排出する記録紙排出口が設けられたプリンタカバーと、前記プリンタ部と前記プリンタカバーとの間に配置され、前記プリンタ部で印刷された前記記録紙が進行する方向に位置し、前記プリンタ部で印刷された前記記録紙の先端部を位置規制して前記記録紙排出口に送り込む排出規制部材と、を備え、前記排出規制部材は、前記ケースに固定された固定規制部と、前記ケースに対して前記記録紙の排出方向に移動可能に設けられた可動規制部と、を備え、前記プリンタ部は、印字ヘッドとプラテンとを備え、前記印字ヘッドは前記固定規制部の下側に配置され、前記プラテンは前記可動規制部に設けられている、ことを特徴とする。
また、この発明に係る電子機器は、上記のプリンタ装置を備えていることを特徴とする。
【発明の効果】
【０００９】
この発明によれば、プリンタ部で印刷された記録紙のふらつきを防ぎ、記録紙を安定させた状態でプリンタカバーの記録紙排出口から確実にかつ良好に送り出すことができるので、プリンタカバーによる記録紙の紙詰まりを防ぐことができる。
【図面の簡単な説明】
【００１０】
【図１】この発明を電子レジスタに適用した一実施形態を示した斜視図である。
【図２】図１に示された電子レジスタのＡ−Ａ矢視におけるプリンタ装置であるプリンタユニットを示した拡大断面図である。
【図３】図２に示されたプリンタユニットにおいて、プリンタカバーを開いて、排出規制部材の可動規制部を開閉する状態を示した拡大断面図である。
【図４】図２に示された排出規制部材を示し、（ａ）はその可動規制部を示した拡大斜視図、（ｂ）はその固定規制部を示した拡大斜視図である。
【図５】図４に示された排出規制部材を示し、（ａ）はその可動規制部を示した拡大平面図、（ｂ）はその固定規制部を示した拡大平面図である。
【発明を実施するための形態】
【００１１】
以下、図１〜図５を参照して、この発明を電子レジスタに適用した一実施形態について説明する。
この電子レジスタは、図１に示すように、機器ケース１を備えている。この機器ケース１には、入力表示ユニット２、プリンタ装置であるプリンタユニット３、および補助表示器４が搭載されている。
【００１２】
入力表示ユニット２は、図１に示すように、ユニットケース５の上面に入力表示パネル６を設けたものであり、顧客が購入する商品の情報をオペレータが入力表示パネル６のタッチ操作によって入力するように構成されている。この場合、入力表示パネル６は、図示しないが、表示パネルの上面に透明なタッチパネルを配置した構成になっている。
【００１３】
この入力表示パネル６は、図１において、オペレータが表示パネルに表示された情報を見ながら、タッチパネルをタッチ操作して、売買する商品の情報を入力すると共に、その入力された情報が表示パネルに表示されるように構成されている。ユニットケース５は、機器ケース１上に、その一部分（図１では左側の一部分）を除いて、前下がりに傾斜した状態で配置されている。
【００１４】
この場合、ユニットケース５の下面には、半円筒状に突出する回転部（図示せず）が設けられており、機器ケース１上には、ユニットケース５の回転部が回転可能に配置される半円筒状に窪んだ支持部（図示せず）が設けられている。これにより、ユニットケース５は、その下面の半円筒状の回転部が機器ケース１上の半円筒状の支持部内で回転移動することにより、後部（図１では上辺側）が競り上がって傾斜するように構成されている。
【００１５】
補助表示器４は、図１〜図３に示すように、表示ケース７に情報を表示する表示部８を設けたものであり、表示ケース７が伸縮自在の支持部９に水平方向に回転自在に支持され、この支持部９によって機器ケース１の背面に設けられた表示収納部１０内に出没可能に配置されるように構成されている。
【００１６】
すなわち、この補助表示器４は、図１〜図３に示すように、支持部９を上方に伸ばして表示ケース７を機器ケース１の表示収納部１０内から引き上げて機器ケース１の上方に配置させ、この状態で支持部９を中心に表示ケース７をほぼ水平方向に回転させることにより、表示部８に表示された情報が顧客から見やすい方向を向くように構成されている。
【００１７】
一方、プリンタ装置であるプリンタユニット３は、図１および図２に示すように、機器ケース１上に開閉可能に配置されたプリンタカバー１２と、機器ケース１の内部に設けられた記録紙収納部１３と、機器ケース１内における記録紙収納部１３の近傍に配置されたプリンタ部１４とを備え、機器ケース１における入力表示ユニット２の左隣に配置されている。
【００１８】
プリンタカバー１２は、図１および図２に示すように、入力表示ユニット２の上面とほぼ同じ高さで、且つ前下がりに傾斜した状態で、機器ケース１上にその左側つまり入力表示ユニット２と反対側に向けて開閉可能に取り付けられている。記録紙収納部１３は、ロール状に巻かれた記録紙１５を収納するものであり、機器ケース１の後部側（図２では右側）から前部側（図２では左側）に向けてほぼ半円筒形の凹部状に形成されている。
【００１９】
この場合、記録紙収納部１３の底部には、図２および図３に示すように、複数のローラ１３ａが半円弧状の底部に沿って設けられている。これにより、記録紙収納部１３は、その内部にロール状に巻かれた記録紙１５が収納された際に、複数のローラ１３ａによって記録紙１５を回転可能に保持するように構成されている。
【００２０】
プリンタ部１４は、図２および図３に示すように、印字ヘッド１４ａとプラテン１４ｂとを備え、機器ケース１内における記録紙収納部１３の前側部（図２では左側部）に配置されている。すなわち、印字ヘッド１４ａは、記録紙収納部１３の前側部における外側上部に配置されている。プラテン１４ｂは、記録紙収納部１３の前側部おける内側上部に印字ヘッド１４ａと対応して配置されるように構成されている。
【００２１】
プリンタ部１４は、図２および図３に示すように、印字ヘッド１４ａとプラテン１４ｂとの間に、記録紙収納部１３内に収納された記録紙１５が送り込まれ、この送り込まれた記録紙１５に印字ヘッド１４ａが印刷情報を印刷し、この印刷された記録紙１５をプリンタカバー１２の記録紙排出口１２ａに向けて送り出すように構成されている。
【００２２】
この場合、プリンタカバー１２の記録紙排出口１２ａは、図１および図２に示すように、プリンタカバー１２が機器ケース１上に配置されて閉じた際に、印字ヘッド１４ａとプラテン１４ｂとの間に対応する状態で、プリンタカバー１２の前部側にその前後方向と直交する方向に細長い長方形状に形成されている。
【００２３】
すなわち、この記録紙排出口１２ａは、図１に示すように、プリンタカバー１２の前後方向と直交する長手方向の長さが、記録紙１５の巻取方向である記録紙１５の長手方向と直交する方向（幅方向）の長さよりも少し長く形成されている。また、この記録紙排出口１２ａは、プリンタカバー１２の前後方向の長さが、記録紙１５の厚みよりも長く、かつ記録紙１５の幅方向の長さよりも大幅に短い長さで形成されている。
【００２４】
この場合、この記録紙排出口１２ａは、図２に示すように、その前後方向の形状がほぼＶ字形状に形成されている。すなわち、この記録紙排出口１２ａは、プリンタカバー１２の上面側の間隔が広く、プリンタカバー１２の下面側に向かうに従って次第に間隔が狭くなるように形成されている。この記録紙排出口１２ａにおける間隔の狭い下部は、後述する排出規制部材１６の上端部が挿入する大きさに形成されている。
【００２５】
ところで、プリンタカバー１２の記録紙排出口１２ａとプリンタ部１４との間には、図２および図３に示すように、排出規制部材１６が設けられている。この排出規制部材１６は、プリンタ部１４で印刷された記録紙１５の排出側に位置する先端部をその厚み方向に挟むように位置規制して、プリンタカバー１２の記録紙排出口１２ａに送り込むように構成されている。
【００２６】
すなわち、この排出規制部材１６は、図２および図３に示すように、記録紙１５が挿入する規制路１７を備え、この規制路１７における記録紙１５の厚み方向の隙間が、プリンタ部１４側で広く、プリンタカバー１２側に向かうに従って次第に狭くなるように形成されている。これに伴って、排出規制部材１６は、プリンタカバー１２側の上端部が先細で、プリンタ部１４側に向かうに従って次第に幅広になるほぼ逆Ｖ字形状に形成されている。
【００２７】
これにより、排出規制部材１６は、図２および図３に示すように、プリンタカバー１２が機器ケース１上に配置されて閉じられ際に、プリンタカバー１２側に位置する先細の上端部がプリンタカバー１２の記録紙排出口１２ａ内における下部側に挿入されるように構成されている。
【００２８】
また、この排出規制部材１６は、図２および図３に示すように、機器ケース１に固定されて、プリンタ部１４の印字ヘッド１４ａを覆い隠すための固定規制部１８と、機器ケース１に対して記録紙１５の排出方向に移動可能に設けられて、プリンタ部１４のプラテン１４ｂを保持するための可動規制部１９と、を備えている。
【００２９】
固定規制部１８は、図２〜図５に示すように、機器ケース１の前側上部に固定される固定部１８ａと、この固定部１８ａからプリンタカバー１２の記録紙排出口１２ａに向けて傾斜する第１ガイド傾斜部１８ｂと、を備えている。すなわち、固定部１８ａは、ほぼ平板状に形成され、その前端部が機器ケース１の前端部上に位置し、かつ後端部が印字ヘッド１４ａの上部中間部の上方に位置した状態で、機器ケース１上に取り付けられている。
【００３０】
第１ガイド傾斜部１８ｂは、図２〜図５に示すように、固定部１８ａの後端部からプリンタカバー１２の記録紙排出口１２ａに向けて後部上りに（図２では右上がり）傾斜して形成されている。すなわち、第１ガイド傾斜部１８ｂは、その上端部がプリンタ部１４の印字ヘッド１４ａとプラテン１４ｂとの間に対応する上方に位置し、この状態で印字ヘッド１４ａ側を覆い隠すように構成されている。
【００３１】
この第１ガイド傾斜部１８ｂの内面には、図２〜図４に示すように、複数のガイドリブ１８ｃが機器ケース１の前後方向と直交する方向、つまりプリンタ部１４で印刷された記録紙１５の幅方向に沿って所定間隔で配列された状態で設けられている。これら複数のガイドリブ１８ｃは、プリンタ部１４で印刷された記録紙１５をガイドすると共に、第１ガイド傾斜部１８ｂを補強するためのものである。
【００３２】
これら複数のガイドリブ１８ｃは、図２〜図４に示すように、第１ガイド傾斜部１８ｂの上端部から下端部に位置する後端部が、印字ヘッド１４ａとプラテン１４ｂとの間において、印字ヘッド１４ａ側に向けて少し傾いた状態で、第１ガイド傾斜部１８ｂの内面に設けられている。すなわち、これら複数のガイドリブ１８ｃは、可動規制部１９に対向する隙間が、その上部側で狭く、下部側に向かうに従って次第に広くなるように形成されている。
【００３３】
一方、可動規制部１９は、図２〜図５に示すように、プラテン１４ｂ側に位置する機器ケース１内にその上下方向に回転可能に取り付けられた回転支持部２０と、この回転支持部２０からプリンタカバー１２の記録紙排出口１２ａに向けて傾斜する第２ガイド傾斜部２１と、回転支持部２０から下側に突出して設けられてプラテン１４ｂが取り付けられるプラテン取付部２２と、を備えている。
【００３４】
回転支持部２０は、図２〜図５に示すように、記録紙収納部１３の上部に配置される支持本体部２０ａと、この支持本体部２０ａの後部の両端部から記録紙収納部１３の後部上側に向けて延出されて、機器ケース１の両側部の内面にそれぞれ設けられた支持軸１ａに回転可能に取り付けられた一対のアーム部２０ｂと、を備えている。
【００３５】
この場合、支持本体部２０ａの前部両側には、図３〜図５に示すように、支持本体部２０ａを固定規制部１８に対して位置規制する位置規制部２０ｃが前側に突出して設けられている。また、この支持本体部２０ａの後部には、突起部２０ｄが上方に突出して設けられている。この突起部２０ｄは、プリンタカバー１２が機器ケース１上に配置された際に、プリンタカバー１２の下面が接近してプリンタカバー１２を受け止めるほか、回転支持部２０を回転操作するための取手部の機能を兼ねている。
【００３６】
また、一対のアーム部２０ｂには、図２〜図４に示すように、機器ケース１の支持軸１ａが回転自在に挿入する軸受け部２０ｅがそれぞれ設けられている。これら一対のアーム部２０ｂのうち、一方のアーム部２０ｂは、その後端部（図２では右端部）が記録紙収納部１３の後部側に向けて延長され、この延長された後端部が下側に向けて湾曲されたストッパ部２０ｆが設けられている。
【００３７】
これにより、回転支持部２０は、図２および図３に示すように、支持本体部２０ａの突起部２０ｄを摘まんで上下方向に操作することにより、機器ケース１の支持軸１ａを中心に上下方向に回転するように構成されている。すなわち、この回転支持部２０は、機器ケース１の支持軸１ａを中心に一対のアーム部２０ｂが反時計回りに回転した際に、支持本体部２０ａが記録紙収納部１３の前側上部に配置されるように構成されている。
【００３８】
この場合、回転支持部２０は、図２および図３に示すように、支持本体部２０ａが記録紙収納部１３の前側上部に配置された際に、第２ガイド傾斜部２１が固定規制部１８の第１ガイド傾斜部１８ｂに対応して配置されると共に、プラテン１４ｂが印字ヘッド１４ａに対応して配置されるように構成されている。
【００３９】
また、この回転支持部２０は、図３に示すように、機器ケース１の支持軸１ａを中心に一対のアーム部２０ｂが時計回りに回転した際に、支持本体部２０ａが記録紙収納部１３の上方に移動して、ストッパ部２０ｆが機器ケース１の当接部１ｂに当接して、支持本体部２０ａを上限位置に規制するように構成されている。
【００４０】
この場合、回転支持部２０は、図３に示すように、支持本体部２０ａが上限位置に規制された際に、第２ガイド傾斜部２１が固定規制部１８の第１ガイド傾斜部１８ｂの斜め後部側の上方に移動すると共に、プラテン１４ｂを印字ヘッド１４ａから離して記録紙収納部１３の上方に配置させるように構成されている。
【００４１】
第２ガイド傾斜部２１は、図２〜図５に示すように、回転支持部２０の支持本体部２０ａの前端部からプリンタカバー１２の記録紙排出口１２ａに向けて前部上りに（図２では左上がり）傾斜して形成されている。すなわち、この第２ガイド傾斜部２１は、その傾斜方向が固定規制部１８の第１ガイド傾斜部１８ｂの傾斜方向と反対方向に傾斜し、かつその傾斜角度が第１ガイド傾斜部１８ｂの傾斜角度よりも急な角度で傾斜する形状に形成されている。
【００４２】
これにより、第２ガイド傾斜部２１は、図２〜図５に示すように、回転支持部２０が反時計回りに回転して、回転支持部２０の支持本体部２０ａが機器ケース１上に配置された際に、プリンタ部１４の印字ヘッド１４ａとプラテン１４ｂとの間に対応した状態で、その上方に配置されて、固定規制部１８の第１ガイド傾斜部１８ｂに対応して排出規制部材１６の規制路１７を形成するように構成されている。
【００４３】
また、この第２ガイド傾斜部２１は、図２〜図５に示すように、回転支持部２０が時計回りに回転して、支持本体部２０ａが記録紙収納部１３の上方に移動して上限位置に規制された際に、第２ガイド傾斜部２１が固定規制部１８の第１ガイド傾斜部１８ｂの斜め後部側の上方に移動して、排出規制部材１６の規制路１７を開放させるように構成されている。
【００４４】
プラテン取付部２２は、図２〜図４に示すように、回転支持部２０の支持本体部２０ａにおける前側下部の両側に設けられた一対の支持片を備え、これら一対の支持片の間にプラテン１４ｂが取り付けられるように構成されている。すなわち、このプラテン取付部２２は、回転支持部２０が機器ケース１の支持軸１ａを中心に反時計回りに回転して、回転支持部２０の支持本体部２０ａが記録紙収納部１３の前側上部に配置された際に、プラテン１４ｂを印字ヘッド１４ａに対応させるように構成されている。
【００４５】
また、このプラテン取付部２２は、図２および図３に示すように、回転支持部２０が機器ケース１の支持軸１ａを中心に時計回りに回転して、回転支持部２０の支持本体部２０ａが記録紙収納部１３の上方つまり機器ケース１の上方に移動した際に、プラテン１４ｂを印字ヘッド１４ａの上方に移動させて記録紙収納部１３の上方つまり機器ケース１の上方に配置させるように構成されている。
【００４６】
次に、この電子機器の作用について説明する。
この電子機器を使用する際には、まず、機器ケース１に対する入力表示ユニット２のユニットケース５の傾きを調整すると共に、補助表示器４の高さおよび向きを調整する。
【００４７】
すなわち、ユニットケース５の傾きを調整する場合には、ユニットケース５の下面の半円筒状の回転部を機器ケース１上の半円弧状の支持部上で回転移動させて、後部（図１では上辺側）の競り上がりを調整して、入力表示ユニット２の入力表示パネル６をオペレータがタッチ操作し易い角度に傾ける。
【００４８】
また、補助表示器４の高さおよび向きを調整する場合には、補助表示器４の支持部９を上方に伸ばして補助表示器４の表示ケース７を機器ケース１の表示収納部１０内から引き上げて機器ケース１の上方に配置させ、この状態で支持部９を中心に表示ケース７をほぼ水平方向に回転させる。これにより、表示部８に表示された情報を顧客が見やすい高さでかつ顧客から見やすい方向に向ける。
【００４９】
この状態で、オペレータが入力表示ユニット２の入力表示パネル６をタッチ操作して、売買する商品の情報を入力すると、その入力された情報が入力表示ユニット２の表示パネルに表示されると共に、補助表示器４の表示部８に表示される。これにより、入力表示ユニット２の表示パネルに表示された情報をオペレータが視認することができると共に、補助表示器４の表示部８に表示された情報を顧客が視認することができる。
【００５０】
そして、このように表示された情報を売上データとしてプリンタユニット３で印刷してレシートを発行する際には、オペレータが入力表示ユニット２の入力表示パネル６をタッチ操作して、プリンタユニット３のプリンタ部１４を駆動させる。すると、プリンタ部１４の印字ヘッド１４ａが記録紙１５に売上データを順次印刷し、この印刷された記録紙１５をレシートとして発行する。
【００５１】
この場合には、予め、機器ケース１内の記録紙収納部１３にロール状に巻かれた記録紙１５を収納する。このときには、プリンタカバー１２を開いて記録紙収納部１３を露出させると共に、機器ケース１内に設けられた排出規制部材１６の可動規制部１９を回転させてプリンタ部１４のプラテン１４ｂを機器ケース１の上方に移動させる。
【００５２】
すなわち、排出規制部材１６の可動規制部１９を回転させる際には、排出規制部材１６の回転支持部２０の支持本体部２０ａに設けられた突起部２０ｄを摘まんで引き上げる。すると、回転支持部２０の一対のアーム部２０ｂが機器ケース１内の支持軸１ａを中心に時計回りに回転し、支持本体部２０ａが記録紙収納部１３の上方に移動して、アーム部２０ｂのストッパ部２０ｆが機器ケース１内の当接部１ｂに当接される。
【００５３】
これにより、支持本体部２０ａが機器ケース１の上方に前上がりに傾いた状態で、上限位置に配置されて位置規制される。このため、可動規制部１９の第２ガイド傾斜部２１が固定規制部１８の第１ガイド傾斜部１８ｂから斜め後部上方に離れて記録紙収納部１３の上方に配置される。
【００５４】
また、このときには、プラテン１４ｂが印字ヘッド１４ａから離れて記録紙収納部１３の上方に配置される。この状態で、機器ケース１内の記録紙収納部１３にロール状に巻かれた記録紙１５を収納し、この収納されたロール状に巻かれた記録紙１５の先端部を引き出してプリンタ部１４の印字ヘッド１４ａに対応する位置に配置する。
【００５５】
そして、排出規制部材１６の可動規制部１９を回転させて、記録紙収納部１３の上部に配置する。すなわち、可動規制部１９の回転支持部２０の支持本体部２０ａに設けられた突起部２０ｄを摘まんで押し下げる。すると、回転支持部２０の一対のアーム部２０ｂが機器ケース１内の支持軸１ａを中心に反時計回りに回転し、支持本体部２０ａが記録紙収納部１３の前側上部に配置される。
【００５６】
このときには、可動規制部１９のプラテン取付部２２に設けられたプラテン１４ｂが印字ヘッド１４ａに対応して配置され、このプラテン１４ｂと印字ヘッド１４ａとの間に記録紙収納部１３から引き出された記録紙１５が挟まれる。これにより、プリンタ部１４による記録紙１５に対する印刷情報の印刷が可能な状態になる。
【００５７】
また、このときには、可動規制部１９の第２ガイド傾斜部２１が排出規制部材１６の固定規制部１８に設けられた第１ガイド傾斜部１８ｂに対応して配置される。このように可動規制部１９の第２ガイド傾斜部２１が固定規制部１８の第１ガイド傾斜部１８ｂに対応して配置されると、排出規制部材１６に規制路１７がプリンタ部１４の印字ヘッド１４ａとプラテン１４ｂとの間に対応して形成される。
【００５８】
すなわち、この規制路１７は、記録紙１５の厚み方向の隙間が、プリンタ部１４側で広く、プリンタカバー１２側に向かうに従って次第に記録紙１５を厚み方向に挟むように狭くなる形状に形成される。これに伴って、排出規制部材１６は、プリンタカバー１２側の上端部が先細で、プリンタ部１４側に向かうに従って次第に幅広になるほぼ逆Ｖ字形状に形成される。また、このときには、第１ガイド傾斜部１８ｂの内面に設けられた複数のガイドリブ１８ｃが可動規制部１９の第２ガイド傾斜部２１の内面に対向して配置される。
【００５９】
この場合、複数のガイドリブ１８ｃは、第１ガイド傾斜部１８ｂの上端部から下端部に位置する後端部が、印字ヘッド１４ａとプラテン１４ｂとの間における印字ヘッド１４ａ側に向けて少し傾いているので、これら複数のガイドリブ１８ｃの各後端部と第２ガイド傾斜部２１の内面との間の隙間も、プリンタ部１４側で広く、プリンタカバー１２側に向かうに従って次第に狭くなるように形成される。
【００６０】
この状態で、プリンタカバー１２を回転させて機器ケース１上に配置して閉じると、プリンタカバー１２に設けられた記録紙排出口１２ａがプリンタ部１４の印字ヘッド１４ａとプラテン１４ｂとの間に対応すると共に、プリンタカバー１２の記録紙排出口１２ａ内の下部に排出規制部材１６の先細の上端部、つまり固定規制部１８の第１ガイド傾斜部１８ｂと可動規制部１９の第２ガイド傾斜部２１との互いに対向する各上端部が挿入する。
【００６１】
このときには、プリンタカバー１２の内面が可動規制部１９の突起部２０ｄの上端部に接近して配置される。このため、プリンタカバー１２が上方から押された際に、プリンタカバー１２が下側に撓んでも、可動規制部１９の突起部２０ｄでプリンタカバー１２を受け止めることができるので、プリンタカバー１２の破損を防げる。
【００６２】
この状態で、プリンタ部１４の印字ヘッド１４ａが駆動されると、この印字ヘッド１４ａが記録紙収納部１３内から引き出された記録紙１５をプラテン１４ｂに押し付けながら記録紙１５に印刷情報を順次印刷する。この印刷された記録紙１５は、排出規制部材１６の規制路１７を通してプリンタカバー１２の記録紙排出口１２ａから機器ケース１の外部に排出される。
【００６３】
すなわち、排出規制部材１６は、プリンタカバー１２側の上端部が先細で、プリンタ部１４側に向かうに従って次第に幅広になるほぼ逆Ｖ字形状に形成され、その上端部がプリンタカバー１２の記録紙排出口１２ａ内の下部に挿入されていることにより、印刷された記録紙１５がプリンタカバー１２によって紙詰まりを起こすことなく、プリンタカバー１２の記録紙排出口１２ａから機器ケース１の外部に排出される。
【００６４】
このときには、排出規制部材１６の規制路１７が、固定規制部１８の第１ガイド傾斜部１８ｂと可動規制部１９の第２ガイド傾斜部２１との間に形成されて、プリンタ部１４の印字ヘッド１４ａとプラテン１４ｂとの間に対応していることにより、印刷された記録紙１５が規制路１７にその下部側の幅広部から確実に送り込まれる。
【００６５】
すなわち、規制路１７は、記録紙１５の厚み方向の隙間が、プリンタ部１４側で広く、プリンタカバー１２側に向かうに従って次第に記録紙１５を厚み方向に挟むように狭くなる形状に形成されていることにより、規制路１７に送り込まれた記録紙１５の排出側に位置する先端部がその厚み方向に挟まれるように位置規制される。このため、記録紙１５は、その厚み方向にふらつくことがなく、安定した状態でプリンタカバー１２の記録紙排出口１２ａに送り込まれる。
【００６６】
また、このときには、第１ガイド傾斜部１８ｂの内面に設けられた複数のガイドリブ１８ｃが可動規制部１９の第２ガイド傾斜部２１の内面に対向して配置され、これら複数のガイドリブ１８ｃが、第１ガイド傾斜部１８ｂの上端部から下端部に位置する後端部が、印字ヘッド１４ａとプラテン１４ｂとの間における印字ヘッド１４ａ側に向けて少し傾いていることにより、印刷された記録紙１５が確実に規制路１７に送り込まれる。
【００６７】
この場合、複数のガイドリブ１８ｃの各後端部と第２ガイド傾斜部２１の内面との間の隙間も、プリンタ部１４側で広く、プリンタカバー１２側に向かうに従って次第に狭くなるように形成されることにより、規制路１７に送り込まれた記録紙１５の排出側に位置する先端部がその厚み方向に挟まれるように確実に位置規制される。このため、記録紙１５は、その厚み方向のふらつきが確実に阻止され、より一層、安定した状態でプリンタカバー１２の記録紙排出口１２ａに送り込まれる。
【００６８】
ところで、プリンタカバー１２が機器ケース１に対して完全に閉じられず、プリンタカバー１２が機器ケース１上に隙間をもって浮いた状態で配置されても、プリンタ部１４で印刷された記録紙１５が排出規制部材１６の規制路１７で位置規制されることにより、印刷された記録紙１５がプリンタカバー１２の記録紙排出口１２ａに送り込まれて機器ケース１の外部に排出される。
【００６９】
すなわち、このときには、プリンタカバー１２に設けられた記録紙排出口１２ａが、排出規制部材１６の上端部、つまり固定規制部１８の第１ガイド傾斜部１８ｂと可動規制部１９の第２ガイド傾斜部２１との互いに対向する各上端部に対応した状態で、排出規制部材１６の上端部から上方に少し離れて、排出規制部材１６の上端部に接近して配置される。
【００７０】
このため、この状態で、プリンタ部１４で印刷された記録紙１５が排出規制部材１６の規制路１７に送り込まれると、上述したように規制路１７で、記録紙１５の排出側に位置する先端部がその厚み方向に挟まれるように位置規制される。このため、排出規制部材１６で位置規制された記録紙１５は、その厚み方向にふらつくことがなく、安定した状態でプリンタカバー１２の記録紙排出口１２ａに向けて送り込まれるので、記録紙１５がプリンタカバー１２によって紙詰まりを起こすことなく、機器ケース１の外部に良好に排出される。
【００７１】
このように、この電子レジスタのプリンタ装置であるプリンタユニット３によれば、機器ケース１内に設けられて記録紙１５に情報を印刷するプリンタ部１４と、機器ケース１に設けられて機器ケース１内の記録紙収納部１３およびプリンタ部１４を開閉自在に覆い、かつプリンタ部１４で印刷された記録紙１５を排出する記録紙排出口１２ａを備えたプリンタカバー１２と、プリンタ部１４とプリンタカバー１２との間に配置され、プリンタ部１４で印刷された記録紙１５が進行する方向に位置し、プリンタ部１４で印刷された記録紙１５の先端部を位置規制して記録紙排出口１２ａに送り込む排出規制部材１６と、を備えているので、プリンタカバー１２による記録紙１５の紙詰まりを防ぐことができる。
【００７２】
すなわち、この電子レジスタのプリンタ装置であるプリンタユニット３では、プリンタ部１４で印刷された記録紙１５を排出規制部材１６によって記録紙１５の厚み方向に挟むように位置規制することができるので、プリンタ部１４で印刷された記録紙１５のふらつきを防ぐことができると共に、記録紙１５を安定させた状態でプリンタカバー１２の記録紙排出口１２ａに確実にかつ良好に送り込むことができ、これによりプリンタカバー１２による記録紙１５の紙詰まりを防ぐことができる。
【００７３】
この場合、排出規制部材１６は、記録紙１５が挿入する規制路１７を備え、この規制路１７における記録紙１５の厚み方向の隙間が、プリンタ部１４側で広く、プリンタカバー１２側に向かうに従って次第に記録紙１５を厚み方向に挟むように狭くなる形状に形成されていることにより、プリンタ部１４で印刷された記録紙１５を排出規制部材１６の規制路１７内に確実にかつ良好に送り込むことができると共に、規制路１７内に送り込まれた記録紙１５をその厚み方向に挟むように良好に位置規制することができる。
【００７４】
また、この排出規制部材１６は、プリンタカバー１２が機器ケース１上に配置されて記録紙収納部１３およびプリンタ部１４を覆って閉じた際に、記録紙１５の排出側に位置する排出規制部材１６の先端部がプリンタカバー１２の記録紙排出口１２ａに挿入することにより、プリンタ部１４で印刷された記録紙１５を排出規制部材１６によってプリンタカバー１２の記録紙排出口１２ａから機器ケース１の外部に確実に排出することができ、これにより印刷された記録紙１５がプリンタカバー１２によって紙詰まりを起こすことなく、記録紙１５を機器ケース１の外部に確実にかつ良好に排出することができる。
【００７５】
この場合、プリンタカバー１２が機器ケース１に対して完全に閉じられず、プリンタカバー１２が機器ケース１上に隙間をもって浮いた状態で配置されても、記録紙１５の排出側に位置する排出規制部材１６の先端部をプリンタカバー１２の記録紙排出口１２ａに接近させることができるので、排出規制部材１６によって印刷された記録紙１５のふらつきを防いで、記録紙１５を安定させた状態でプリンタカバー１２の記録紙排出口１２ａに確実にかつ良好に送り込むことができる。これにより、印刷された記録紙１５がプリンタカバー１２によって紙詰まりを起こすことがなく、記録紙１５を機器ケース１の外部に確実にかつ良好に排出することができる。
【００７６】
また、このプリンタ装置であるプリンタユニット３では、排出規制部材１６が、機器ケース１に固定された固定規制部１８と、機器ケース１に対して記録紙１５の排出方向に移動可能に設けられた可動規制部１９と、を備えていることにより、固定規制部１８に対して可動規制部１９を移動させることができ、これにより可動規制部１９を移動させて固定規制部１８に対応させることができるので、固定規制部１８と可動規制部１９とによって排出規制部材１６の規制路１７を形成することができる。
【００７７】
また、このプリンタユニット３では、排出規制部材１６が記録紙１５の先端部をその厚み方向に挟むように位置規制する構成であっても、固定規制部１８に対して可動規制部１９を移動させることにより、排出規制部材１６の規制路１７を開放させて、プラテン１４ｂを印字ヘッド１４ａの斜め上方に移動させることができるので、印字ヘッド１４ａを開放させてプラテン１４ｂ側に露出させることができる。
【００７８】
この場合、固定規制部１８は、機器ケース１の前側上部に固定される固定部１８ａと、この固定部１８ａからプリンタカバー１２の記録紙排出口１２ａに向けて傾斜する第１ガイド傾斜部１８ｂと、を備えていることにより、固定部１８ａを機器ケース１の前側上部に取り付けて印字ヘッド１４ａを覆うことができると共に、第１ガイド傾斜部１８ｂの上端部をプリンタ部１４の印字ヘッド１４ａとプラテン１４ｂとの間に対応する上方に配置させた状態で、第１ガイド傾斜部１８ｂを排出規制部材１６の規制路１７に対応させて配置させることができる。
【００７９】
また、可動規制部１９は、プラテン１４ｂ側に位置する機器ケース１内にその上下方向に回転可能に取り付けられた回転支持部２０と、この回転支持部２０からプリンタカバー１２の記録紙排出口１２ａに向けて傾斜する第２ガイド傾斜部２１と、を備えているので、回転支持部２０を上下方向に回転させることにより、第２ガイド傾斜部２１を第１ガイド傾斜部１８ｂに対して接離可能に対応させることができ、これにより排出規制部材１６の規制路１７を確実にかつ良好に形成することができる。
【００８０】
この場合、回転支持部２０は、記録紙収納部１３の上部に配置される支持本体部２０ａと、この支持本体部２０ａの後部の両端部から記録紙収納部１３の後部上側に延出されて、機器ケース１の両側部の内面にそれぞれ設けられた支持軸１ａに回転可能に取り付けられた一対のアーム部２０ｂと、を備えているので、機器ケース１内の支持軸１ａを中心に、支持本体部２０ａを一対のアーム部２０ｂと共に機器ケース１に対して上下方向に容易にかつ良好に回転移動させることができる。
【００８１】
また、可動規制部１９の第２ガイド傾斜部２１に対向する固定規制部１８の第１ガイド傾斜部１８ｂの対向面には、複数のガイドリブ１８ｃが設けられていることにより、これら複数のガイドリブ１８ｃによってプリンタ部１４で印刷された記録紙１５をガイドすることができると共に、第１ガイド傾斜部１８ｂを補強することができるほか、これら複数のガイドリブ１８ｃによって規制路１７内の隙間を狭くすることができる。
【００８２】
このため、このプリンタユニット３の排出規制部材１６では、複数のガイドリブ１８ｃによってプリンタ部１４で印刷された記録紙１５がその厚み方向にふらつくのを確実にかつ良好に阻止することができ、より一層、記録紙１５を安定した状態でプリンタカバー１２の記録紙排出口１２ａに送り込むことができる。
【００８３】
また、このプリンタ装置であるプリンタユニット３では、プリンタ部１４が印字ヘッド１４ａとプラテン１４ｂとを備え、印字ヘッド１４ａが固定規制部１８の下側に配置され、プラテン１４ｂが可動規制部１９に設けられていることにより、固定規制部１８によって印字ヘッド１４ａを覆って隠すことができるほか、この固定規制部１８に対して可動規制部１９を移動させて、プラテン１４ｂを印字ヘッド１４ａに対して接離可能に対応させることができる。
【００８４】
すなわち、このプリンタユニット３では、可動規制部１９の回転支持部２０にプラテン１４ｂを取り付けるためのプラテン取付部２２が設けられているので、回転支持部２０を上下方向に回転させることにより、プラテン１４ｂを印字ヘッド１４ａに接離可能に対応させることができ、これによりプラテン１４ｂと印字ヘッド１４ａとの間に記録紙１５を確実にかつ良好に挟むことができる。
【００８５】
このため、このプリンタユニット３では、プラテン１４ｂを印字ヘッド１４ａに対して離した際に、記録紙収納部１３に収納された記録紙１５をプリンタ部１４の印字ヘッド１４ａとプラテン１４ｂの間に容易に配置することができると共に、プラテン１４ｂを印字ヘッド１４ａに接近させた状態で対応させることができるので、印字ヘッド１４ａによって記録紙１５に印刷情報を良好に印刷することができる。
【００８６】
なお、上述した実施形態では、電子レジスタに適用した場合について述べたが、この発明は必ずしも電子レジスタである必要はなく、例えばプリンタ装置を備えた多機能型ファックスなどの電子機器に広く適用することができる。
【００８７】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００８８】
（付記）
請求項１に記載の発明は、記録紙を収納する記録紙収納部が設けられたケースと、前記ケース内における前記記録紙収納部の近傍に設けられ、前記記録紙に情報を印刷するプリンタ部と、前記ケースに設けられて前記記録紙収納部および前記プリンタ部を開閉自在に覆い、かつ前記プリンタ部で印刷された前記記録紙を前記ケースから排出する記録紙排出口が設けられたプリンタカバーと、前記プリンタ部と前記プリンタカバーとの間に配置され、前記プリンタ部で印刷された前記記録紙が進行する方向に位置し、前記プリンタ部で印刷された前記記録紙の先端部を位置規制して前記記録紙排出口に送り込む排出規制部材と、を備えていることを特徴とするプリンタ装置である。
【００８９】
請求項２に記載の発明は、請求項１に記載のプリンタ装置において、前記排出規制部材は、前記記録紙が挿入する規制路を備え、この規制路における前記記録紙の厚み方向の隙間が、前記プリンタ部側で広く、前記プリンタカバー側に向かう方向に従って次第に前記記録紙を厚み方向に挟むように狭くなる形状に形成されていることを特徴とするプリンタ装置である。
【００９０】
請求項３に記載の発明は、請求項１または請求項２に記載のプリンタ装置において、前記排出規制部材は、前記ケース上に配置されて前記プリンタカバーが前記記録紙収納部および前記プリンタ部を覆って閉じた際に、前記記録紙の排出側に位置する前記排出規制部材の先端部が前記プリンタカバーの前記記録紙排出口に挿入することを特徴とするプリンタ装置である。
【００９１】
請求項４に記載の発明は、請求項１〜請求項３のいずれかに記載のプリンタ装置において、前記排出規制部材は、前記ケースに固定された固定規制部と、前記ケースに対して前記記録紙の排出方向に移動可能に設けられた可動規制部と、を備えていることを特徴とするプリンタ装置である。
【００９２】
請求項５に記載の発明は、請求項４に記載のプリンタ装置において、前記固定規制部は、前記ケースに固定される固定部と、前記排出規制部材の前記規制路を形成するための第１ガイド傾斜部と、を備えており、前記可動規制部は、前記ケースに前記記録紙の排出方向に回転可能に取り付けられた回転支持部と、この回転支持部に設けられて前記固定規制部の前記第１ガイド傾斜部に接離可能に対応して前記排出規制部材の前記規制路を前記第１ガイド傾斜部と共に形成する第２ガイド傾斜部と、を備えていることを特徴とするプリンタ装置である。
【００９３】
請求項６に記載の発明は、請求項５に記載のプリンタ装置において、前記可動規制部の前記第２ガイド傾斜部に対向する前記固定規制部の前記第１ガイド傾斜部の対向面には、複数のガイドリブが設けられていることを特徴とするプリンタ装置である。
【００９４】
請求項７に記載の発明は、請求項４〜請求項６のいずれかに記載のプリンタ装置において、前記プリンタ部は、印字ヘッドとプラテンとを備え、前記印字ヘッドは前記固定規制部の下側に配置され、前記プラテンは前記可動規制部に設けられていることを特徴とするプリンタ装置である。
【００９５】
請求項８に記載の発明は、請求項１〜請求項７のいずれかに記載されたプリンタ装置を備えていることを特徴とする電子機器である。
【符号の説明】
【００９６】
１  機器ケース
１ａ  支持軸
３  プリンタユニット
１２  プリンタカバー
１２ａ  記録紙排出口
１３  記録紙収納部
１４  プリンタ部
１４ａ  印字ヘッド
１４ｂ  プラテン
１５  記録紙
１６  排出規制部材
１７  規制路
１８  固定規制部
１８ａ  固定部
１８ｂ  第１ガイド傾斜部
１８ｃ  ガイドリブ
１９  可動規制部
２０  回転支持部
２０ａ  支持本体部
２０ｂ  アーム部
２０ｃ  位置規制部
２０ｄ  突起部
２０ｅ  軸受け部
２０ｆ  ストッパ部
２１  第２ガイド傾斜部
２２  プラテン取付部
【図１】
2019130919.tif 000003
【図２】
2019130919.tif 000004
【図３】
2019130919.tif 000005
【図４】
2019130919.tif 000006
【図５】
2019130919.tif 000007
【手続補正書】
【提出日】令和1年5月14日(2019.5.14)
【手続補正１】
【補正対象書類名】特許請求の範囲
【補正対象項目名】全文
【補正方法】変更
【補正の内容】
【特許請求の範囲】
【請求項１】
記録紙を収納する記録紙収納部と、
印字ヘッドおよびプラテンを有し、前記記録紙に情報を印刷するプリンタ部と、
前記記録紙収納部を開閉自在に覆うとともに、前記プリンタ部で印刷された記録紙を排出するための記録紙排出口が設けられたプリンタカバーと、
前記プラテンから前記記録紙排出口に向けて延伸するように形成され、前記プリンタ部で印刷された前記記録紙の先端部を位置規制して前記記録紙排出口に送り込む第１の排出規制部材と、
を備えていることを特徴とするプリンタ装置。
【請求項２】
前記第１の排出規制部材と離間するように設けられ、当該第１の排出規制部材との間に前記プリンタ部で印刷された記録紙が挿入されることで当該記録紙の先端部を位置規制して前記記録紙排出口に送り込む第２の排出規制部材、
を備えていることを特徴とする請求項１に記載のプリンタ装置。
【請求項３】
前記第１の排出規制部材は、前記プラテンと一体に形成されている、
ことを特徴とする請求項１または２に記載のプリンタ装置。
【請求項４】
前記第１の排出規制部材および前記プラテンは、前記記録紙の排出方向に向けて移動可能に形成されている、
ことを特徴とする請求項３に記載のプリンタ装置。
【請求項５】
前記第１の排出規制部材の先端部は、前記記録紙排出口に挿入されている、
ことを特徴とする請求項１から４の何れか一項に記載のプリンタ装置。
【請求項６】
プリンタ装置を備える電子機器であって、
前記プリンタ装置は、
記録紙を収納する記録紙収納部と、
印字ヘッドおよびプラテンを有し、前記記録紙に情報を印刷するプリンタ部と、
前記記録紙収納部を開閉自在に覆うとともに、前記プリンタ部で印刷された記録紙を排出するための記録紙排出口が設けられたプリンタカバーと、
前記プラテンから前記記録紙排出口に向けて延伸するように形成され、前記プリンタ部で印刷された前記記録紙の先端部を位置規制して前記記録紙排出口に送り込む第１の排出規制部材と、
を備えていることを特徴とする電子機器。
【手続補正２】
【補正対象書類名】明細書
【補正対象項目名】０００８
【補正方法】変更
【補正の内容】
【０００８】
この発明に係るプリンタ装置は、記録紙を収納する記録紙収納部と、印字ヘッドおよびプラテンを有し、前記記録紙に情報を印刷するプリンタ部と、前記記録紙収納部を開閉自在に覆うとともに、前記プリンタ部で印刷された記録紙を排出するための記録紙排出口が設けられたプリンタカバーと、前記プラテンから前記記録紙排出口に向けて延伸するように形成され、前記プリンタ部で印刷された前記記録紙の先端部を位置規制して前記記録紙排出口に送り込む第１の排出規制部材と、を備えていることを特徴とする。
また、この発明に係る電子機器は、プリンタ装置を備える電子機器であって、前記プリンタ装置は、記録紙を収納する記録紙収納部と、印字ヘッドおよびプラテンを有し、前記記録紙に情報を印刷するプリンタ部と、前記記録紙収納部を開閉自在に覆うとともに、前記プリンタ部で印刷された記録紙を排出するための記録紙排出口が設けられたプリンタカバーと、前記プラテンから前記記録紙排出口に向けて延伸するように形成され、前記プリンタ部で印刷された前記記録紙の先端部を位置規制して前記記録紙排出口に送り込む第１の排出規制部材と、を備えていることを特徴とする。